(57)【要約】      （修正有）【課題】  鉱石類を使用し、マイナスイオン、遠赤外線等を発生させ、温熱を加えて高湿度を発生させ空気の助けを借り人体に発汗作用を起させて、健康的な自然治癒力の増進ができ室内に使用できる装置、例えばサウナ装置に使用できる装置に関し、現場設置作業等の合理化が出来、工場加工製造が出来るので能率的であるサウナ装置に使用できる装置を提供する。【解決手段】室内でマイナスイオン生成材１３，１４に温熱と抵抗を加えて湿度・マイナスイオン・遠赤外線等を発生させ、室内の温度と該マイナスイオン・高湿度等を同じ温度にして身体に吸収し、マイナスイオン・遠赤外線により低温でも発汗できる装置とする。【選択図】図１
2006326242.tif 000002
【特許請求の範囲】
【請求項１】
室内でマイナスイオン生成材に温熱と抵抗を加えて湿度・マイナスイオ・遠赤外線等を発生、室内の温度と発生させたイオン・高湿度等を同じ温度にする事により空気のようになる身体に呼吸する事により吸収し、マイナスイオン・遠赤外線により低温でも発汗できる装置。
【請求項２】
上段に太いパイプを設置し、その太いパイプの中に温水ポンプ送水管を固定し、その細いパイプに無数の穴の開け、太いパイプとの、空間の中にマイナスイオン・遠赤外線発生生成材を搬入、太い筒の下の部分に無数の穴を開ける。又、太いパイプの上に噴水装置を設置して温水送水圧力により霧状の噴水が上がり高湿度となってマイナスイオンが発生する装置。
【請求項３】
筒の下部穴より温水が、マイナスイオン水となって板面を流れながら、マイナスイオン・遠赤外線・湿度等が室内に散布できる装置。
【請求項４】
下段に温水タンクを設置し、そのタンクにマイナスイオン・遠赤外線生成材を多量に搬入して置く、落下した温水を送水ポンプで上段パイプに送水する循環させる装置。
【発明の詳細な説明】
【技術分野】
【０００１】  本発明はトルマリン鉱石・黒曜石・北投石・麦飯石・ラジュウム鉱石等に温熱で圧力を加え、マイナスイオン・遠赤外線・湿度を発生させて落差により室内に散布させたイオン等を高湿度に室内空気と混合できるため、サウナ関係に使用すると呼吸するため、人体に様々な健康利点になる装置である。
【背景技術】
【０００２】  近年は大変な温泉ブームに加え、健康・美容志向も加わり鉱石等から出るマイナスイオン等の効能利用型サウナが従来型サウナに加え各種提案されている。しかしながら自然の力に頼る物の中で十分にその効能が出し切れないものが目立つし、単に加熱するだけで汗をかくだけのものやランニングコスト面でも大変な経費がかかる物ばかりが目に付く。例えば、トルマリン鉱石等の石の持つ特性も、明らかに高圧・高温水に依る作用を与えればその石の持つ特性を引き出せるが、それらの技術は解決されておらず、単に温水に浸ける、又周辺に敷き詰めて高温の電気炉等で焼くにすぎず、理論に基づく効能の出し方技術が開発されていない。【０００３】  又、温度を安定させる為の装置の燃費・熱源に関し実際の運営面での経費も大きな問題だ。更に鉱石の持つ特性を低温で増幅させる事には全く先行き技術も無く、又体も温まる事は温まっても、体の芯まで温まらず汗だけが出ても冷えを伴うのが大半だ、それだの問題点を解決し人間的に健康で技術的にも確立した発汗方法と、ランニングコストの改善が今まさに望まれている。
【発明の開示】
【発明が解決しようとする課題】
【０００４】  トルマリン鉱石や黒曜石等を使用するに当り、鉱石の使用量の問題がある。わずかばかりの鉱石を置いたばかりでは効能効果が題目に過ぎず、質も必要であり又量も必要である事、効能を出す為の装置の開発が大きなポイントで有る。【０００５】  トルマリン鉱石の特徴を高温によってマイナスイオン等を取り出せば良いと言う事はほぼわかっているが、その適切な方法が確立されていない。【０００６】  黒曜鉱石は、銀銅・亜鉛等の抗菌性金属元素を含有し、サウナ内で使用する事により温熱で抗菌性に維持する大きな役目を果たしている。特に長野県和田峠産の黒曜石は効能が大きい。【０００７】  ランニングコストに関しては、先願特許２００４−２９４７０４（Ｐｒｏｏｆ）提出日平成１６年１０月７日荻原大が出願後本サウナ体験装置施工にて他社とは違う快感出来る大きな成果が上がって又、省エネルギー効果等を確認できた。【０００８】  高温サウナには特筆すべき冷えの問題がある。短時間に無理な受熱に依る体の芯まで温まらないと言う現象は、いわば一種の冷汗と同様で、長時間ゆっくりと体温を上昇させる事に依る効果の正反対の結果が出る事はわかっている。多量にイオン生成材を使用して、温熱でイオン生成材に圧力を加えて循環しながらマイナスイオン・遠赤外線等を発生させて高湿度化させた事により、呼吸が楽にでき器官等を活性しながら芯まで温まる。
体の芯まで温める事の重要性は一見無関係に見える事だが石鹸の必要が無く体の有用な資質を残し、無駄な老廃物のみ吹き出させる効能がある事や、人間  の持ち合わせている芯底に有る健全化機能を活性化する事によって必然的に体が蘇ること。それは全ての根源で有ると同時に血液の流れも良くする。血管内をきれいにすると言う活気的な装置である。
【課題を解決する為の手段】
【０００９】  下層の水槽の中にボイラーからの温熱管（１７）〜（１８）を敷き入れて温水を循環させて下層の温水を４０℃〜４２℃に温める、下層タンクの中に多量のマイナスイオン・遠赤外線等の生成材に温熱を加える事によりマイナスイオン。遠赤外線等が発生する。その温水を更に、上段に据え付けた太い圧力筒（８）の中にイオン生成材（１３）を多量に搬入して置き、その筒の中心部に細い水中ポンプからの送水パイプ管（１０）を固定し、そのパイプに無数の穴を開けた配管に水中ポンプから温熱水送る事によりイオン生成材（１３）に圧力が加わりながら外周の太い筒（８）の中のイオン生成材（１３）に温水が接触しながら太い筒の下部穴から散水されてマイナスイオン等が更に発生させる循環型装置である。
【００１０】  荻原大整理番号・Ｐ０４０Ｈ０１特願２００４−２９４７０４（Ｐｒｏｏｆ）提出日平成１６年１０月７日
【発明の名称】
マイナスイオンサウナの滝落とし装置を実験体験を行った結果その滝落としを合理化し、工場加工生産が出来る事を発明して、多くの方々の福祉に使用できるように改良した物である。
【発明の効果】
【００１１】  マイナスイオン・遠赤外線等を高湿度に変えて発生させる装置をコンパクト化してサウナ室内を設置する事により、コストが安価になる更に、作業と室内が合理化できる。
【００１２】  下層の温水タンクに多量のイオン生成材を投入が出来る、その生成材に温水を溜める事によりマイナスイオンが発生し易く黒曜石を使用する事により、抗菌作用が働き、サウナ独特の汗の臭い等が無い。
【００１３】  圧力イオン発生パイプ（８）の開発によりイオン水を板状（２）の所に温水を流す事でイオン及び湿度が空気と混合された高湿マイナスイオン等がサウナ室内に充満する。室内温度を３８℃〜４２℃の低温で身体の毒素が発汗できる。
【００１４】  送水圧力を利用してイオン発生パイプ（８）の上に噴水（１６）を設置する事とでより湿度が多量に発生し他社では無い特有サウナの為、弱者に最適である。
【００１５】  低温と高湿度により、長時間入浴ができるので体の芯まで温まり活性化する事とサウナ入浴後の疲労が無く、口の渇きが少ないことが体験所の結果よい事が判った。先願特許申請、荻原大  整理番号Ｐ０４０Ｈ０１  特願２００４−２９４７０４（ｒｏｏｆ）に改良を加え、現場施工を工場加工で製作合理化ができる。
体験場を当社に施設し５０００人以上の体験者の反応が良好である。
【００１６】  最も大きな効果として室温が低温である事や、空気の柔らかさ等が作用してゆっくり時間をかけて発汗する事が出来、その為女性や弱者・病気がちな人等、普段汗のかく事が出来ない人達の為に最適といえる装置であると共に無論健康な人でも又スポーツ選手にも温め疲労回復をさせる著効がある。
【００１７】  言うまでもなく、ここに使われている鉱石類（トルマリン鉱石・黒曜石・ラジューム鉱石・麦飯石その他の鉱石等）がその特性をだしている為いろいろな効能が有り、明らかに医療に対しても著効が有ると思われる。
【００１８】  今まで述べて来たサウナ装置は営業用多人数用装置であるが、同様の原理で各家庭でも使用出来る１人用サウナも可能である。
【図面の簡単な説明】
【００１９】
【図１】本発明を適用した小型湿度・マイナスイオン等の発生装置図である。
【図２】同小型の要部を示す縦断面図である。
【図３】同横断面図である。
【符号の説明】
【００２０】  １．枠縁。
２．上段  温水の流れ板。
３．中断  温水の流れ板。
４．下段  温水の流れ版。
５．段差  温水流れを変更板。
６．水槽タンクに落差からの温水入り口。
７．水槽タンク。
８．イオン発生太いパイプ。
９．イオン生成材搬入口。
１０．送水パイプ。
１１．水中ポンプ。
１２．温水の流れ矢印。
１３．イオン生成材（鉱石）。
１４．イオン生成材（原石）
１５．スノコ（中間の床台）
１６．噴水。
１７．温熱湯配管ボイラーからの入り口。
１８．同上  温熱湯出口ボイラーへ。
１９．網、温水を散らす役目をする網。
【図１】
2006326242.tif 000003
【図２】
2006326242.tif 000004
【図３】
2006326242.tif 000005